(57)【要約】【課題】効率よく傾動調整ができる培土器を提供する。【解決手段】前部培土板１２に固定軸１７ａを固設し、その固定軸１７ａの外周に円筒状の回動部１７ｂを回動自在に取り付ける。回動部１７ｂの外周には支柱ブラケット（支柱取付部）１６を固設する。そして、支柱ブラケット１６の後端１６ｄには直線状に往復移動するコマ（移動部）１９を取り付け、そのコマ１９をガイドするガイド部２０を前部培土板１２に固設する。さらに、コマ１９を操作するハンドル（操作部）２３を備える。ハンドル２３は前部培土板１２および後部培土板１３ａ，１３ｂの上方に延出して設ける。そして、支柱ブラケット１６の先端１６ｂに取付支柱５０を取り付けた状態で、ハンドル２３を操作してコマ１９をトラクタの進行方向に沿って直線状に往復移動させると回動部１７ｂを支点として上下に傾動される。【選択図】      図２
2006025754.tif 000002
【特許請求の範囲】
【請求項１】
自走式作業機の後部に備える支柱に着脱自在に取り付けて土寄せ作業を行う培土器であって、
土寄せ作業を行う培土板と、
該培土板に固定軸を固設し該固定軸の外周に回動自在に取り付けられた円筒状の回動部と、
該回動部の外周に固設する支柱取付部と、
該支柱取付部の後端に取り付けられ、直線状に往復移動する移動部と、
該移動部をガイドするとともに、前記培土板に固設されたガイド部と、
前記移動部を操作する操作部とを備え、
前記支柱取付部の先端に前記支柱を取り付けた状態で、前記操作部を操作して前記移動部を前記自走式作業機の進行方向に沿って直線状に往復移動させることにより前記回動部を支点として上下に傾動される培土器において、
前記操作部を前記培土板の上方に延出して設けることを特徴とする、培土器。
【請求項２】
前記操作部が前記移動部に連続して設けられた棒状のシャフトと該シャフトに連続して設けられた持ち手部とからなり、該持ち手部が前記シャフトに固設された軸部と該軸部の外周に回転自在に設ける筒部とを備えることを特徴とする、請求項１に記載の培土器。
【請求項３】
前記操作部が前記移動部に連続して設けられた棒状のシャフトと該シャフトに連続して設けられた持ち手部とからなり、該持ち手部がジョイントを備え、該ジョイントにて折りたたみ可能であることを特徴とする、請求項１に記載の培土器。
【請求項４】
前記操作部が前記移動部に連続して設けられた棒状のシャフトと該シャフトに連続して設けられた持ち手部とからなり、前記シャフトが長手方向に伸縮する伸縮機構を備えることを特徴とする、請求項１に記載の培土器。
【発明の詳細な説明】
【技術分野】
【０００１】
本発明は、自走式作業機の後部取付部に着脱自在に取り付けて土寄せ作業を行う培土器に関する。
【背景技術】
【０００２】
従来の培土器は、例えば、図６に示すように、後部培土板１、上部培土板３をそれぞれボルト・ナットなどにより連結したものを２つ作成し、くの字型に折り曲げて形成された前部培土板２の両端に連結するとともに、後部培土板１どうしを適当な間隔で離間させるようにして構成する。
そして、くの字型に形成された前部培土板２の２つの面を水平に結ぶように回動部５を取り付け、その回動部５に支柱ブラケット４を溶接にて固設する。この支柱ブラケット４の上部は円筒状に形成されその内部には、不図示のトラクタなどの自走式作業機の後部に設けられた支柱Ｐを挿入して固定して取り付けるようになっている。
一方、支柱ブラケット４の下部には、張出部材６を備え、その中央付近には一対の長孔状の取付開口部６ａを形成する。この取付開口部６ａには、不図示の円柱状の移動コマの中心軸上の両端に形成された受け軸７をそれぞれ往復移動自在に取り付ける。
なお、移動コマは、円柱の側面にねじ孔を中心軸と直交する方向に貫通させ、そのねじ孔に噛合するねじ軸８を取り付ける。ねじ軸８の一端には操作部としてのハンドル９を固設する。
【０００３】
このように構成された培土器１０を使用するには、トラクタの支柱Ｐに支柱ブラケット４の上部に挿入し、不図示の押しボルトで固定する。そして、トラクタに備える昇降手段によって培土器１０を耕作面に合わせて昇降する。
ここで、培土器１０がトラクタの進行方向に対して上下に傾いている場合には、作業者がハンドル９を手で回して調整する。詳しくは、ハンドル９を回転させると、ハンドル９に固設されたねじ軸８が回転し、そのねじ軸８に噛合した移動コマが移動する。このとき、移動コマの両端に形成された受け軸７は長孔状の取付開口部６ａに沿って移動し、その作用によって、支柱ブラケット４が回動部５を支点として回動する。すなわち、培土器１０が回動部５を支点として図中時計回りまたは半時計回りに回動するので、培土器１０を耕作面に適切に合わせることができるようになっている。
【発明の開示】
【発明が解決しようとする課題】
【０００４】
しかし培土器１０の傾動を調整するには、作業者が狭い培土器１０の下部に設けられた、ハンドル９に手を伸ばして回さなければならず、作業がやりにくく効率が悪いという問題があった。
そこでこの発明の目的は、効率よく傾動調整ができる培土器を提供することにある。
【課題を解決するための手段】
【０００５】
このため請求項１に記載の発明は、自走式作業機の後部に備える支柱に着脱自在に取り付けて土寄せ作業を行う培土器であって、
土寄せ作業を行う培土板と、
該培土板に固定軸を固設し該固定軸の外周に回動自在に取り付けられた円筒状の回動部と、
該回動部の外周に固設する支柱取付部と、
該支柱取付部の後端に取り付けられ、直線状に往復移動する移動部と、
該移動部をガイドするとともに、前記培土板に固設されたガイド部と、
前記移動部を操作する操作部とを備え、
前記支柱取付部の先端に前記支柱を取り付けた状態で、前記操作部を操作して前記移動部を前記自走式作業機の進行方向に沿って直線状に往復移動させることにより前記回動部を支点として上下に傾動される培土器において、
前記操作部を前記培土板の上方に延出して設けることを特徴とする。
【０００６】
請求項２に記載の発明は、請求項１に記載の培土器において、前記操作部が前記移動部に連続して設けられた棒状のシャフトと該シャフトに連続して設けられた持ち手部とからなり、該持ち手部が前記シャフトに固設された軸部と該軸部の外周に回転自在に設ける筒部とを備えることを特徴とする。
【０００７】
請求項３に記載の発明は、請求項１に記載の培土器において、前記操作部が前記移動部に連続して設けられた棒状のシャフトと該シャフトに連続して設けられた持ち手部とからなり、該持ち手部がジョイントを備え、該ジョイントにて折りたたみ可能であることを特徴とする。
【０００８】
請求項４に記載の発明は、請求項１に記載の培土器において、前記操作部が前記移動部に連続して設けられた棒状のシャフトと該シャフトに連続して設けられた持ち手部とからなり、前記シャフトが長手方向に伸縮する伸縮機構を備えることを特徴とする。
【発明の効果】
【０００９】
請求項１に記載の発明によれば、操作部を土寄せ作業を行う培土板の上方に延出して設けるので、作業者が狭い培土器に手を伸ばして操作部を操作して培土器を傾動調整する必要がなく、効率よく傾動調整ができる培土器を提供することができる。
【００１０】
請求項２に記載の発明によれば、操作部が移動部に連続して設けられた棒状のシャフトとそのシャフトに連続して設けられた持ち手部とからなり、その持ち手部がシャフトに固設された軸部とその軸部の外周に回転自在に設ける筒部とを備えるので、作業者が筒部を握った状態で操作部を回転させ続けることができ、傾動操作のしやすい培土器を提供することができる。
【００１１】
請求項３に記載の発明によれば、操作部が移動部に連続して設けられた棒状のシャフトとそのシャフトに連続して設けられた持ち手部とからなり、その持ち手部がジョイントを備え、そのジョイントにて折りたたみ可能であるので、持ち手部が操作部の上方に延出して設けられている場合に、作業者がその持ち手部に手や体を引掛けて、誤って操作部を操作して培土器を傾動させてしまうことがなく、操作部の操作を保護することができる。
【００１２】
請求項４に記載の発明によれば、操作部が移動部に連続して設けられた棒状のシャフトと該シャフトに連続して設けられた持ち手部とからなり、シャフトが長手方向に伸縮する伸縮機構を備えるので、操作部を操作しないときはシャフトを縮めて操作部が培土板の上方に延出しないようにするので、作業者が操作部にぶつかったり、誤って操作部を操作して培土器を傾動させてしまうことがなく、操作部の操作を保護することができる。
【発明を実施するための最良の形態】
【００１３】
以下、図面を参照しつつ、この発明を実施するための最良の形態について詳述する。
図１はこの発明の培土器の平面図であり、図２は図１のＡ矢視断面図である。
培土器４０は、後部培土板１１ａ、上部培土板１３ａをボルト・ナットなどにより連結する一方、後部培土板１１ｂ、上部培土板１３ｂをボルト・ナットなどにより連結する。そして、くの字型に折り曲げて形成された前部培土板１２の端部１２ａ，１２ｂにそれぞれ後部培土板１１ａ，１１ｂをボルト・ナットなどにより取り付ける。前部培土板１２の上部にはフード１４をボルト・ナットにて取り付けるとともに、下部には補強板１５をボルト・ナットにて取り付ける。
また、後部培土板１１ａと後部培土板１１ｂとを調節部材３１および３２にて連結する。なお、調節部材３１および３２にはそれぞれ調節部３１Ａ，３２Ａが設けられている。
さらに、後部培土板１１ａと上部培土板１３ａとは調節部３３Ａを有する調節部材３３によって連結され、後部培土板１１ｂと上部培土板１３ｂとは調節部３４Ａを有する調節部材３４によって連結されている。
【００１４】
そして、固定軸１７ａと回動部１７ｂとからなる回動機構１７を備える。固定軸１７ａの両端は前部培土板１２の内面１２Ａ，１２Ｂに溶接にて取り付ける。回動部１７ｂは円筒状でその内側に棒状の固定軸１７ａを備え、固定軸１７ａに対して回動部１７ｂを回動自在に取り付ける。回動部１７ｂの外周には支柱ブラケット（支柱取付部）１６の中間１６ｃを溶接にて固設する。支柱ブラケット１６の先端１６ｂは円筒状に形成され、内側には後述する、トラクタ（自走式作業機）に設けられた取付支柱（支柱）５０を挿入して取り付けるようになっている。また、支柱ブラケット１６の中間１６ｃの適当な箇所には取付支柱５０に形成された嵌合孔に嵌合して取付支柱５０を支柱ブラケット１６に固定するための押しボルト１６ａを設ける。さらに、支柱ブラケット１６の後端１６ｄには後述するように一対の張出部材１８を支柱ブラケット１６の外周に設ける。なお、張出部材１８は、支柱ブラケット１６の外周に支柱ブラケット１６の中心軸線に対して対称に２箇所設け、張出部材１８の中央部分には支柱ブラケット１６の長手方向に沿って長孔状の取付開口部１８ａを設ける。
【００１５】
一方、支持板２５を前部培土板１２の内面１２Ａ，１２Ｂの裏面側にそれぞれ溶接にて固設するとともに、その支持板２５にねじ軸（ガイド部）２０をトラクタの進行方向Ｂに沿って回転自在に取り付ける。ねじ軸２０の後端には継手部２２を介してハンドル（操作部）２３を取り付ける。ハンドル２３は鉄製の棒状のシャフト２３ａと同様の材料を略Ｌ字型に加工して形成した持ち手部２３ｂとからなる。シャフト２３ａの一端には継手部２２を取り付けるとともに、他端には持ち手部２３ｂを溶接などによって取り付ける。なお、継手部２２には、シャフト２３ａの回転を異なる方向に変更するフック継ぎ手などの既知の技術を用いて構成する。シャフト２３ａの長さは、前部培土板１２より上方に達するようにすることが望ましい。このようにすると、作業者がハンドル２３を操作する際に培土器４０の内部を覗き込むようにして手を伸ばして操作することがなく、容易にハンドル２３を操作することができる。
また、支持板２５の継手部２２側のねじ軸２０の外周にはコイルバネ２１を取り付ける。
そして、ねじ軸２０にはコマ（移動部）１９を噛合させる。コマ１９は円柱の側面にねじ孔を貫通させてそのねじ孔にねじ軸２０を噛合させる。また、円柱状のコマ１９の中心軸方向の両端には、それぞれ受け軸１９ａを形成し、その受け軸１９ａをそれぞれ張出部材１８の取付開口部１８ａに往復移動自在に取り付ける。
【００１６】
このように構成された培土器４０を用いて土寄せ作業を行う手順について図３，４を用いて説明する。
まず、トラクタの後部に設けられている取付支柱５０を培土器４０の支柱ブラケット１６に挿入する。そして、取付支柱５０の外周に形成された嵌合孔を押しボルト１６ａに合わせて押しボルト１６ａを嵌合して掛け止めて培土器４０を取付支柱５０に取り付ける。
次に、トラクタに備える昇降手段によって培土器４０を耕作面に合わせて昇降する。さらに、培土器４０の底辺部４１を耕作面の形状に合わせるように調整する。詳しくは、作業者が培土器４０の上部に配設された持ち手部２３ｂを掴んでハンドル２３を回転させることによって調整する。
【００１７】
すなわち、図３（ａ）に示すように、ハンドル２３を時計回りに回転させると、継手部２２を介してねじ軸２０が時計回りに回転し、コマ１９を矢印方向に進める。すると、図４（ａ）に示すように、受け軸１９ａが取付開口部１８ａを上方に移動し、支柱ブラケット１６が回動機構１７を支点として時計回りに回動する。実際には、取付支柱５０が支柱ブラケット１６に取り付けられて支柱ブラケット１６は固定されているので、この動作が受け軸１９からねじ軸２０を固設した取付板２５へと伝達する。取付板２５は培土板１２と溶接されているので、培土器４０全体を回動機構１７を支点として反時計回りに回動させる。
【００１８】
一方、図３（ｂ）に示すように、ハンドル２３を反時計回りに回転させると、継手部２２を介してねじ軸２０が反時計回りに回転し、コマ１９を矢印方向に進める。すると、図４（ｂ）に示すように、受け軸１９ａが取付開口部１８ａを下方に移動し、支柱ブラケット１６が回動機構１７を支点として反時計回りに回動する。実際には上述の場合と同様に、支柱ブラケット１６は取付支柱５０に固定されているので、この動作が受け軸１９から取付板２５へと伝達し、培土器４０全体を回動機構１７を支点として時計回りに回動させる。
【００１９】
このように、この発明の培土器４０は、トラクタ（自走式作業機）の後部に備える取付支柱５０に着脱自在に取り付けて土寄せ作業を行うものであり、後部培土板１１ａ，１１ｂ、上部培土板１３ａ，１３ｂ、前部培土板１２を備え、前部培土板１２に固定軸１７ａを固設し、その固定軸１７ａの外周に円筒状の回動部１７ｂを回動自在に取り付ける。その回動部１７ｂの外周には溶接などによって支柱ブラケット（支柱取付部）１６を固設する。そして、その支柱ブラケット１６の後端１６ｄには直線状に往復移動するコマ（移動部）１９を取り付ける。そのコマ１９をガイドするガイド部２０を前部培土板１２に固設する。さらに、コマ１９を操作するハンドル（操作部）２３を備える。ハンドル２３は前部培土板１２および後部培土板１３ａ，１３ｂの上方に延出して設ける。そして、支柱ブラケット１６の先端１６ｂに取付支柱５０を取り付けた状態で、ハンドル２３を操作してコマ１９をトラクタの進行方向に沿って直線状に往復移動させると回動部１７ｂを支点として上下に傾動される。
【００２０】
なお、ハンドル２３は、図５に示すように構成してもよい。すなわち、ハンドル２３の持ち手部２３ｂがシャフト２３ａに固設された軸部２３ｂ１とその軸部２３ｂ１の外周に回転自在に設ける筒部２３Ｃとを備える。この技術は、円筒の内側に棒を備え、円筒がベアリングなどを介してその棒に回転自在に取り付けられる公知の技術を用いるものとする。
【００２１】
また、ハンドル２３の持ち手部２３ｂには凹凸状のジョイント２３Ｂを備え、不図示の回動ピンを中心としてそのジョイント２３Ｂにて折りたたみ可能にする。この折りたたみ技術は、円筒を２つに折りたたむ公知の技術を用いるものとする。ハンドル２３を使用しないときは、ジョイント２３Ｂにて持ち手２３ｂを折りたたみ、操作部２３の突出を減らす。
さらに、継手部２２を介してねじ軸（ガイド部）２０に連続して設けられた棒状のシャフト２３ａと持ち手部２３ｂとからなり、シャフト２３ａの一端２３Ｂを継手部２２を介してねじ軸２０に連続して設けるとともに、シャフト２３ａの他端２３Ｔに持ち手部２３ｂを設け、シャフト２３ａが長手方向に伸縮する伸縮機構（公知の技術）を備えるようにしてもよい。
すなわち、シャフト２３ａが外径の異なる円筒形のシャフト部材２３ａ１，２３ａ２，２３ａ３（シャフト部材２３ａ１，２３ａ２，２３ａ３の外径をそれぞれΦ１、Φ２、Φ３とすると、Φ１＞Φ２＞Φ３）と不図示の伸縮機構とから構成され、シャフト２３ａの周囲の設けられた不図示のロックボタンを操作しながらシャフト２３ａを縮める方向（矢印Ｘ）にハンドル２３を押すと、シャフト部材２３ａ１の内側にシャフト部材２３ａ２が挿入され、シャフト部材２３ａ２の内側にシャフト部材２３ａ３が挿入されて、シャフト２３ａを縮めることができる。このようにすると、適当な長さでハンドル２３を使用することができる。
【図面の簡単な説明】
【００２２】
【図１】この発明の培土器の平面図である。
【図２】図１のＡ矢視断面図である。
【図３】（ａ），（ｂ）は、ハンドルとコマの動きを説明するための図である。
【図４】図３（ａ），（ｂ）に示すようにハンドルを回転して培土器をトラクタの進行方向に対して上下に傾動させた様子を示す図であり、（ａ）は図３（ａ）の状態に、（ｂ）は図３（ｂ）の状態に対応した図である。
【図５】図１に示すハンドルの別の例である。
【図６】従来の培土器の断面図である。
【符号の説明】
【００２３】
１１ａ，１１ｂ    後部培土板
１２    前部培土板
１２Ａ，１２Ｂ    内面
１２ａ，１２ｂ    端部
１３ａ，１３ｂ    上部培土板
１４    フード
１５    補強板
１６    支柱ブラケット（支柱取付部）
１６ａ    押しボルト
１６ｂ    先端
１６ｃ    中間
１６ｄ    後端
１７    回動機構
１７ａ    固定軸
１７ｂ    回動部
１８    張出部材
１８ａ    取付開口部
１９    コマ（移動部）
１９ａ    受け軸
２０    ねじ軸（ガイド部）
２１    コイルバネ
２２    継手部
２３    ハンドル（操作部）
２３Ｂ    一端
２３Ｃ    筒部
２３Ｊ    ジョイント
２３Ｔ    他端
２３ａ    シャフト
２３ａ１，２３ａ２，２３ａ３    シャフト部材
２３ｂ    持ち手部
２３ｂ１    軸部
２５    取付板
３１，３２，３３，３４    調節部材
３１Ａ，３２Ａ，３３Ａ，３４Ａ    調節部
４０    培土器
４１    底辺部
５０    取付支柱（支柱）
【図１】
2006025754.tif 000003
【図２】
2006025754.tif 000004
【図３】
2006025754.tif 000005
【図４】
2006025754.tif 000006
【図５】
2006025754.tif 000007
【図６】
2006025754.tif 000008